(57)【要約】【課題】寝具に寝ている人自身によって楽に寝起き動作ができるように補助する寝具用寝起き補助装置とする。【解決手段】支持部３と取付部４と上掛け保持部材５を備え、その上掛け保持部材５は、本体５ａに複数の上掛け吊り具５ｂと手掛け部５ｃを設けたものとし、その複数の上掛け吊り具５ｂで寝具１の上掛け１ｂを吊り下げ保持して寝ている人に直接に触れないようにすると共に、前記手掛け部５ｃを手で把持して上半身を起こしたり、寝たりできるようにした寝具用寝起き補助装置とする。【選択図】図１
2011087797.tif 000002
【特許請求の範囲】
【請求項１】
寝具敷設物２に敷設した寝具１に寝ている人の寝起き動作を補助する寝具用寝起き補助装置であって、
前記寝具敷設物２に支持するための支持部材３と、この支持部材３に設けた取付部材４と、この取付部材４に横向きに設けた上掛け保持部材５を備え、
前記上掛け保持部材５は、本体５ａに複数の上掛け吊り具５ｂと手掛け部５ｃを設けたもので、
前記複数の上掛け吊り具５ｂは、前記寝具１の上掛け１ｂの長手方向及び幅方向の複数個所を吊り下げ保持し、前記手掛け部５ｃは、前記寝具１の敷設体１ａに寝ている人が腕を延ばすことで把持できるようにしたことを特徴とする寝具用寝起き補助装置。
【請求項２】
前記取付部材４は高さ調整可能で、その取付部材４の上部に上掛け保持部材５の本体５ａを取り付けた請求項１記載の寝具用寝起き補助装置。
【請求項３】
前記上掛け保持部材５の各上掛け吊り具５ｂは、長手方向及び幅方向に位置調整できるようにした請求項１又は２記載の寝具用寝起き補助装置。
【請求項４】
前記上掛け保持部材５の本体５ａは、前記取付部材４の上部に、横向き姿勢と縦向き姿勢とに亘って上下回動可能に設けている請求項１又は２又は３記載の寝具用寝起き補助装置。
【請求項５】
前記上掛け保持部材５の本体５ａの長手方向一端部が取付部材４に設けてあると共に、長手方向他端部に手掛け部５ｃが設けてあり、
前記本体５ａの長手方向他端寄りは、長手方向一端寄りに対して上下回動自在である請求項１〜４いずれか１項記載の寝具用寝起き補助装置。
【請求項６】
前記支持部材３は、寝具敷設物２が畳２ａの場合には、その畳２ａと敷設体１ａとの間で挟持されるものとし、
前記支持部材３は、寝具敷設物２がベッド２ｂの場合には、その手摺り３ｃを挟持するもの、又はベッド２ｂの架台２ｄにボルト止めされるものとした請求項１〜５いずれか１項記載の寝具用寝起き補助装置。
【発明の詳細な説明】
【技術分野】
【０００１】
本発明は、寝具の上で人が上半身を起こしたり、寝たりする動作を補助する寝具用寝起き補助装置に関する。
【背景技術】
【０００２】
ベッドや布団などの寝具に寝ている人が、上半身を起こしたり、その上半身を起こした姿勢から再び寝たりする寝起き動作は苦しいことである。
特に、高齢者、身体不自由の人、病人、けが人などの人にとっては、前述の上半身を起こしたり、寝たりする寝起き動作は大変苦しく、介護人の手助けがなければ寝起き動作ができないことがある。
一方、特許文献１には、自立困難な人の起立、座位動作を補助する装置が開示されている。
この装置は、把持部材を、ハンドル部を回転操作することで上下方向に回動するようにした構成で、利用者が把持部材を握り、介護者がハンドル部を回転操作することで把持部材を上方、下方に回動して利用者の起立動作、座位動作を補助する。
【先行技術文献】
【特許文献】
【０００３】
【特許文献１】特開２００４−２４３１０７号公報
【発明の概要】
【発明が解決しようとする課題】
【０００４】
前述した従来の補助装置は、人の起立、座位動作を補助するものであるから、人が上半身を起こしたり、寝たりする寝起き動作の補助には適さない。
仮に、前述の補助装置を前述した寝起き動作の補助に用いたとすると、種々の不具合が生じる。
第１の不具合は、上半身を起こす動作のときには、寝具の掛け布団などの上掛けがまくれ上がったり、前後、左右に動くので、再び人が寝たときに上掛けで人を正しく覆うことができない。
このために、再び人が寝た後に、上掛けを手で動かして上掛けで人を正しく覆うようにしなければならず、その上掛けを手で動かすことが面倒である。
【０００５】
第２の不具合は、介護者がハンドル部を回転操作することで把持部材を上下に回動する構造であるので、構造が複雑で、コストの高いものとなる。
【０００６】
第３の不具合は、第２の不具合を解消するために、前述の把持部材を固定し、使用者が把持部材を把持して上半身を起こす構成とした場合に、寝ている使用者の上に上掛けがかかっているので、その上掛けの重量が使用者に負荷し、その上掛けの重量のために使用者が上半身を起こしづらい。
【０００７】
本発明の目的は、寝具に寝ている人自身によって上半身を起こしたり、寝たりする寝起き動作を楽にできると共に、上半身を起こした人が再び寝たときに上掛けで人を正しく覆うことができるようにした寝具用寝起き補助装置とすることである。
【課題を解決するための手段】
【０００８】
本発明は、寝具敷設物２に敷設した寝具１に寝ている人の寝起き動作を補助する寝具用寝起き補助装置であって、
前記寝具敷設物２に支持するための支持部材３と、この支持部材３に設けた取付部材４と、この取付部材４に横向きに設けた上掛け保持部材５を備え、
前記上掛け保持部材５は、本体５ａに複数の上掛け吊り具５ｂと手掛け部５ｃを設けたもので、
前記複数の上掛け吊り具５ｂは、前記寝具１の上掛け１ｂの長手方向及び幅方向の複数個所を吊り下げ保持し、前記手掛け部５ｃは、前記寝具１の敷設体１ａに寝ている人が腕を延ばすことで把持できるようにしたことを特徴とする寝具用寝起き補助装置である。
【０００９】
本発明においては、前記取付部材４は高さ調整可能で、その取付部材４の上部に上掛け保持部材５の本体５ａを取り付けることができる。
【００１０】
このようにすれば、取付部材４の高さを調整することで上掛け保持部材５を上下に移動して手掛け部５ｃの高さを調整できる。
したがって、寝ている人の腕の長さに応じた手掛け部５ｃの高さとして、腕の長さが異なる人が手掛け部５ｃをしっかりと握持することができる。
【００１１】
本発明においては、前記上掛け保持部材５の各上掛け吊り具５ｂは、長手方向及び幅方向に位置調整できるようにできる。
【００１２】
このようにすれば、上掛け１ｂの大きさに応じて吊り下げ保持する位置を変更できるから、大きさの異なる上掛け１ｂを吊り下げ保持できる。
【００１３】
本発明においては、前記上掛け保持部材５の本体５ａは、前記取付部材４の上部に、横向き姿勢と縦向き姿勢とに亘って上下回動可能に設けることができる。
【００１４】
このようにすれば、上掛け保持部材４を縦向き姿勢とすることで、その上掛け保持部材４が敷設体１ａから離れるから、その敷設体１ａから人が離れたり、寝たりするときに、上掛け保持部材５が邪魔にならない。
【００１５】
本発明においては、前記上掛け保持部材５の本体５ａの長手方向一端部が取付部材４に設けてあると共に、長手方向他端部に手掛け部５ｃが設けてあり、
前記本体５ａの長手方向他端寄りは、長手方向一端寄りに対して上下回動自在とすることができる。
【００１６】
このようにすれば、寝ている人が上半身を起こしたときに、本体５ａの長手方向他端寄りを上方に回動すれば、手掛け部５ｃが上半身を起こしている人から離れるので、食事などをするときに邪魔にならない。
【００１７】
本発明においては、前記支持部材３は、寝具敷設物２が畳２ａの場合には、その畳２ａと敷設体１ａとの間で挟持されるものとし、
前記支持部材３は、寝具敷設物２がベッド２ｂの場合には、その手摺り３ｃを挟持するもの、又はベッド２ｂの架台２ｄにボルト止めされるものにできる。
【００１８】
このようにすれば、寝具敷設物２が畳２ａの場合でも、ベッド２ｂの場合でも補助装置の支持部材３をしっかりと支持することができる。
【発明の効果】
【００１９】
本発明によれば、上掛け保持部材５によって上掛け１ｂを、寝ている人に直接触れないように吊り下げ保持できると共に、手掛け部５ｃを握持して寝起き動作できるから、寝具に寝ている人自身によって上半身を起こしたり、寝たりする寝起き動作を楽にできる。
しかも、上半身を起こした後に再び寝たときに、上掛け１ｂは元の状態となるので、その上掛け１ｂで人を正しく覆うことができる。
【図面の簡単な説明】
【００２０】
【図１】本発明の第１の実施の形態を示す正面図である。
【図２】本発明の第１の実施の形態を示す平面図である。
【図３】本発明の第２の実施の形態を示す正面図である。
【図４】本発明の第２の実施の形態を示す後側面図である。
【図５】本発明の第３の実施の形態を示す正面図である。
【図６】本発明の第３の実施の形態を示す後側面図である。
【図７】本発明の第４の実施の形態を示す後部の正面図である。
【図８】本発明の第４の実施の形態を示す後側面図である。
【図９】本発明の第５の実施の形態を示す前部の正面図である。
【図１０】本発明の第５の実施の形態を示す前部の平面図である。
【発明を実施するための形態】
【００２１】
図１と図２に示すように、寝具１は敷設体１ａと上掛け１ｂを有している。この敷設体１ａは敷布団、マットレスなどの人の下に敷くものである。前記上掛け１ｂは掛け布団などの人の上に掛けるものである。
前記寝具１の敷設体１ａは寝具敷設用物２の上に敷設してある。この実施の形態では寝具敷設用物２は畳２ａである。
【００２２】
本発明に係る寝具用寝起き補助装置は、支持部材３と、この支持部材３に設けた取付部材４と、この取付部材４に設けた上掛け保持部材５を備えている。
前記支持部材３は寝具敷設用物２に補助装置を支持するものである。
この実施の形態では、前記支持部材３は、寝具敷設用物２としての畳２ａと、敷設体１ａとの間に挟持される長尺で幅狭、薄いものとしてある。
例えば、支持部材３は薄い板状としてある。
【００２３】
前記取付部材４は、支持部材３に上掛け保持部材５を取り付けるものである。
この実施の形態では、取付部材４は支持部材３の長手方向一端寄りに上向きに取り付けてある。
【００２４】
前記上掛け保持部材５は、本体５ａと、この本体５ａに設けた複数の上掛け吊り具５ｂと、前記本体５ａに設けた手掛け部５ｃを備えている。
前記本体５ａは、その長手方向一端部が、前記取付部材４の上部に、前記支持部材３とほぼ平行な横向き姿勢に取り付けてある。
前記上掛け吊り具５ｂは、本体５ａの長手方向及び幅方向に間隔を置いて複数設けてあり、その各上掛け吊り具５ｂで前記寝具１の上掛け１ｂの長手方向及び幅方向の複数の位置を吊り下げ保持し、前記寝具１の敷設体１ａに寝ている人に上掛け１ｂが直接触れないようにしてある。
【００２５】
前記手掛け部５ｃは本体５ａの長手方向他端部、つまり前記取付部材４と反対側に取り付けてある。
この手掛け部５ｃは、前述のように寝具１の敷設体１ａに寝ている人が腕を延ばすことで手で握持できるようにしてある。
【００２６】
このようであるから、寝具１に寝ている人が腕を延ばして手掛け部５ｃを手で把持し、その状態で腕の力を利用して上半身をゆっくりと起こすことができる。
このとき、上掛け１ｂが寝ている人に直接触れないので、上掛けの重量が寝ている人に負荷しないことから、上半身を起こし易い。
したがって、寝具１に寝ている人自身によって上半身を起こす動作を楽にできる。
【００２７】
また、上半身を起こした姿勢の人が寝るときには、手掛け部５ｃを握持し、上半身の重さを腕で支えながらゆっくりと寝ることができる。
したがって、寝具１の上で上半身を起こしている人が、再び寝具１に寝る動作を楽にできる。
【００２８】
しかも、上掛け１ｂが複数の上掛け吊り具５ｂで吊り下げ保持されているので、寝具１に寝ている人が上半身を起こした後に再び寝ることで、上掛け１ｂは元の状態に復帰する。
したがって、上掛け１ｂの掛け直しなどの面倒な作業をせずに上掛け１ｂで人を正しく覆うことができる。
【００２９】
次に、各部材を詳細に説明する。
前記支持部材３は、図２に示すように、幅広い長手方向一端寄り部分３ａと、この部分３ａの幅方向両側寄りと一体に連続した幅狭で長尺な一対の両側寄り部分３ｂ，３ｂで平面コ字形状の板状としてある。
これによって、支持部材３を寝具敷設用物２としての畳２ａと、敷設体１ａとでしっかりと挟持して支持できると共に、支持部材３を軽量とすることができる。
【００３０】
前記取付部材４は高さ調整可能である。
例えば、固定筒体４ａに可動筒体４ｂをスライド自在に嵌合し、その固定筒体４ａに複数のピン孔４ｃを長手方向に間隔を置いて形成し、可動筒体４ｂにロック孔４ｄを形成し、いずれか１つのピン孔４ｃからロック孔４ｄにロックピン４ｅを挿入することで可動筒体４ｂを固定筒体４ａに固定してある。
そして、前記固定筒体４ａを支持部材３の長手方向一端寄りで、幅方向中央部に固設し、可動筒体４ｂをスライドして異なるピン孔４ｃからロックピン４ｅをロック孔４ｄに挿入することで高さを調整できるようにしてある。
【００３１】
高さを調整可能とするには前述の構成に限ることはなく、種々の構成とすることができる。
例えば、固定筒体４ａの開口縁にスリットを形成すると共に、螺子溝を形成し、可動筒体４ｂにスライド自在に嵌挿したナット部材を前記螺子溝に螺合することで固定筒体４ａの開口縁部分を締め付けて可動筒体４ｂに圧接することで可動筒体４ｂを固定し、前記ナット部材を弛めることで可動筒体４ｂを固定筒体４ａにスライド可能とする。
【００３２】
前述のように、取付部材４は高さ調整可能であるから、その取付部材４の高さを変更することで、上掛け保持部材５を上下に移動して手掛け部５ｃの高さを調整できる。
したがって、手掛け部５ｃの高さを腕の長さに応じた高さとすることができるので、腕の長さが異なる人が手掛け部５ｃをしっかりと握持することができる。
【００３３】
前記上掛け保持部材５の本体５ａの長手方向一端部は取付部材４の上部（可動筒体４ｂの上部）に、上下方向に回動自在に取り付けてあり、前述した横向き姿勢と図１に仮想線で示す縦向き姿勢に回動して保持できるようにしてある。
例えば、可動筒体４ｂの上端部と本体５ａの長手方向一端部をヒンジ６で上下方向に回動自在に連結する。
【００３４】
前記ヒンジ６は、本体５ａが横向き姿勢よりも下方には回動しないように保持すると共に、縦向き姿勢で保持できるようにしてある。
例えば、可動筒体４ｂに取り付けた一側ヒンジ体６ａと本体５ａに取り付けた他側ヒンジ体６ｂをピン６ｃで回動自在に連結し、その一側ヒンジ体６ａに図示しないストッパを設けて他側ヒンジ体６ｂが図１の状態から下方に回動しないようにすると共に、一側ヒンジ体６ａと他側ヒンジ体６ｂとの間に摩擦プレートを設けて所定の角度で保持できるようにする。
この実施の形態では、上掛け保持部材５の本体５ａを手動によって上下に回動する構成としてあるが、動力源によって本体５ａを上下に回動することもできる。
例えば、モータによって軸を回転し、その軸に本体５ａを連結する。
または、本体５ａと取付部材４（可動筒体４ｂ）に亘ってシリンダを連結し、そのシリンダを伸縮することで本体５ａを上下に回動する。
【００３５】
このようであるから、本体５ａを縦向き姿勢とすることで、上掛け保持部材５を敷設体１ａと離れた状態とすることができ、その敷設体１ａから人が離れたり、寝たりするときに上掛け保持部材５が邪魔にならない。
【００３６】
前記複数の上掛け吊り具５ｂは、本体５ａに対して長手方向、幅方向に位置調整可能としてある。
例えば、前記本体５ａは、複数の主桁を順次スライド自在に連結した長手方向に向かう主杆部１０と、その各主杆に幅方向に向けてそれぞれ取り付けた長さ調整自在な複数の補助杆２０を備え、その各補助杆２０に上掛け吊り具５ｂを設けてある。
そして、主桁をスライドして各補助杆２０を長手方向に移動することで各上掛け吊り具５ｂを長手方向に位置調整でき、前記補助杆２０の長さを変えることで上掛け保持具５ｂの幅方向に位置調整できる。
【００３７】
このようであるから、人の体格によって上掛け１ｂの大きさ（長さと幅）が異なる場合に、その上掛け１ｂの大きさに応じて上掛け吊り具５ｂの長手方向、幅方向の位置を決めることで、大きさの異なる上掛け１ｂを吊り下げ保持できる。
前述の説明で、長手方向とは寝ている人の身長方向（敷設体１ａの長手方向）で、幅方向とは長手方向と直角な方向（敷設体１ａの幅方向）である。
【００３８】
前述の主杆部１０と補助杆２０を詳細に説明する。
前記主杆部１０は、第１主杆１１に第２主杆１２をスライド自在に嵌合し、その第２主杆１２の第１主杆１１からの突出長さを調整可能としてある。
前記第２主杆１２に第３主杆１３をスライド自在に嵌合し、その第３主杆１３の第２主杆１２からの突出長さを調整可能としてある。
前記第３主杆１３に第４主杆１４をスライド自在に嵌合し、その第４主杆１４の第３主杆１３からの突出長さを調整可能としてある。
前記第１・第２・第３・第４主杆１１，１２，１３，１４は断面非円形の中空形状、例えば、矩形断面の中空形状で、各主杆が回転しないようにしてある。
【００３９】
前記第２主杆１２の第１主杆１１からの突出長さを調整可能とする構成としては、第１主杆１１に複数のピン孔１５を長手方向に間隔を置いて形成し、第２主杆１２にロック孔１６を形成する。
そして、いずれか１つのピン孔１５からロックピン１７をロック孔１６に挿入して第２主杆１２を第１主杆１１に固定する。
このようにすれば、ロックピン１７を異なるピン孔１５に挿入することで第２主杆１２の第１主杆１１からの突出長さが変化する。
前記第３主杆１３の第２主杆１２からの突出長さを調整可能とする構成、第４主杆１４の第３主杆１３からの突出長さを調整可能とする構成は、前述したピン孔１５からロックピン１７をロック孔１６に挿入する構成と同一である。
この突出長さを調整可能とする構成は、前述の構成に限ることはない、例えば、前述した高さを調整可能等する構成のようにスリットと、ナット部材を用いた構成でも良い。
【００４０】
前記第１主杆１１の第２主杆１２と反対側の端部が、前記取付部材４の上部にヒンジ６で上下回動自在に取り付けてある。
つまり、第１主杆１１の長手方向一端部が取付部材４の上部に取り付けられ、その第１主杆１１の長手方向他端部から第２主杆１２が長手方向他端に向けて突出している。
第３・第４主杆１３，１４も同様に第２・第３主杆１２，１３の長手方向他端部から長手方向他端に向けて突出している。
【００４１】
前記補助杆２０は、固定杆２１の長手方向両側に一対の可動杆２２をスライド自在にそれぞれ嵌合し、その各可動杆２２の固定杆２１からの突出長さをそれぞれ調整可能としてある。
この調整可能とする構成は、固定杆２１の長手方向両側寄りに複数のピン孔２３を長手方向に間隔を置いてそれぞれ形成し、各可動杆２２にロック孔２４を形成する。
そして、いずれか１つのピン孔２３からロックピン２５をロック孔２４に挿入することで可動杆２２を長手方向に移動しないように固定する。
これにより、異なるピン孔２３からロックピン２５をロック孔２４に挿入することで、可動杆２２の固定杆２１からの突出長さを調整できる。
【００４２】
前記補助杆２０は、第１・第２・第３主杆１１，１２，１３の長手方向中間部と、第４主杆１４の長手方向他端にそれぞれ取り付けてある。
例えば、第１・第２・第３主杆１１，１２，１３の長手方向中間部にブラケット２６を設け、このブラケット２６に補助杆２０の固定杆２１をボルト２７で固定することで、固定杆２１が第１・第２・第３主杆１１，１２，１３と直交すると共に、固定杆２１の長手方向両側部が第１・第２・第３主杆１１，１２，１３から幅方向両側方に張り出すように十文字状となるようにする。
前記ブラケット２６は、第１・第２・第３主杆１１，１２，１３に嵌まり合う下向きコ字状片２６ａと、その下向きコ字状片２６ａの両端に設けた取付片２６ｂを有し、その取付片２６ｂが固定杆２１の上面にボルト２７で固定される。
【００４３】
前記第４主杆１４の長手方向他端にブラケット２８が取り付けてある。
このブラケット２８はプレートと、このプレートに設けた突部を備え、その突部を第４主杆１４の中空部に嵌合することで第４主杆１４の長手方向他端に取り付けられる。そのプレートに補助杆２０の固定杆２１の長手方向中央部がボルト２９で直交するように取り付けてある。
前記突部と第４主杆１４をボルトで固定するようにしても良い。
そして、この補助杆２０の固定杆２１を手掛け部５ｃとしてある。
つまり、長手方向に間隔を置いて複数設けた補助杆２０における最も長手方向他端寄りの補助杆２０を手掛け部５ｃとしてある。
【００４４】
前述のように、本体５ａの長手方向一端部が取付部材４に設けてあると共に、本体５ａの長手方向他端部に手掛け部５ｃが設けてある。
そして、本体５ａの長手方向一端寄り、つまり第１・第２・第３主杆１１，１２，１３と第４主杆１４の第３主杆１３寄りの部分は、本体５ａの長手方向他端寄り、つまり第４主杆１４の手掛け部５ｃを設けた部分と分離し、補助ヒンジ７で上下回動自在に連結され、直線状姿勢と上向きＶ字状姿勢に上下回動できるようにしてある。
【００４５】
具体的には、前記第４主杆１４を直線状姿勢と上向きＶ字状姿勢とに上下回動自在としてある。
例えば、第４主杆１４を、第３主杆１３に嵌合した一端寄り部分１４ａと、手掛け部５ｃとなる補助杆２０を取り付けた他端寄り部分１４ｂを補助ヒンジ７で上下回動自在に連結したものとする。
この補助ヒンジ７は前述のヒンジ６と同様で、他端寄り部分１４ｂが一端寄り部分１４ａに対して直線状姿勢よりも下方に回動しないようにストッパを有しているとともに、その他端寄り部分１４ｂを上向きＶ字状姿勢で保持できるようにしてある。
【００４６】
このようであるから、寝ている人が手掛け部ｃを持って上半身を起こしたときに、第４主杆１４の他端寄り部分１４ｂを補助ヒンジ７を中心として上方に回動して図１に仮想線で示す上向きＶ字状姿勢とすることで、手掛け部５ｃとなる補助杆２０が上半身を起こした人から離れる。
したがって、寝具１上で上半身を起こした姿勢で食事などをするときに補助杆２０（手掛け部５ｃ）が邪魔にならない。
【００４７】
前記上掛け吊り具５ｂは、各補助杆２０の各可動杆２２と固定杆２１の長手方向中央部にそれぞれ設けてあり、その固定杆２１に設けた中央の上掛け吊り具５ｂは幅方向に移動しないが、各可動杆２２に設けた両側の上掛け吊り具５ｂは、その可動杆２２の突出長さを変えることで前記中央の上掛け吊り具５ｂに接近、離隔して幅方向の間隔をそれぞれ調整できる。
また、第２・第３・第４主杆１２，１３，１４の突出長さを変えることで各上掛け吊り具５ｂの長手方向の間隔を調整できる。
【００４８】
前記各上掛け吊り具５ｂは、紐などの索条３０と、この索条３０を各可動杆２２、固定杆２１に連結する上取付具３１と、前記索条３０を上掛け１ｂに連結する下取付具３２を備え、その索条３０を上取付具３１に吊り下げ長さ調整可能に連結してある。
これによって、索条３０の吊り下げ長さを変えることで、上掛け１ｂを上下に移動できるので、上掛け１ｂを吊り下げ保持する高さを、寝具１に寝ている人の体格に応じた高さとすることができる。
【００４９】
前述の実施の形態では、寝具敷設用物２を畳としたが、その寝具敷設用物２がベッドの場合には、支持部材３をベッドに適応したものとする。
例えば、図３と図４に示すように、支持部材３を、ベッド２ｂの後側の手摺り２ｃを挟持するように取り付ける形状とする。
具体的には、一側縦プレート４０と他側縦プレート４１を上連結片４２で一体的に連結した下向きコ字形状の支持部材３とし、その一側縦プレート４０、他側縦プレート４１が手摺り２ｃの後面、前面に接すると共に、上連結片４２が手摺り２ｃの上面に接するように取り付ける。
【００５０】
この場合には、取付部材４を他側縦プレート４１の幅方向中央部に取り付ける。
なお、取付部材４は一側縦プレート４０に取り付けても良いし、一側・他側縦プレート４０，４１をボルトで連結しても良い。
【００５１】
また、図５と図６に示すように、ベッド２ｂのマットを支持する架台２ｄの両側面２ｅの後側寄りにプレート４３をボルト４４で固着して支持部材３としても良い。
この場合には、各プレート４３に取付けプレート４５を上下長孔４６を挿通したボルト・ナット４７で取り付けることで取付部材４とする。
そして、各取付けプレート４５間に上掛け保持部材５の本体５ａを取り付ける。例えば、左右の取付けプレート４５の上部間に横軸４８を横架し、本体５ａの第１主杆１１を横軸４８に上下回動自在に取り付ける。
【００５２】
この実施の形態の場合には、プレート４３と取付けプレート４５を一体とし、そのプレートの下部をベルト２ｂの架台２ｄの両側面２ｅに、上下長孔を挿通したボルトで固定して取り付け、前記プレートの上部に上掛け保持部材５を取り付けるようにしても良い。
なお、図３〜図６において上掛け保持部材５は概略的に図示してある。
【００５３】
また、図７と図８に示すように、ベッド２ｂの架台２ｄの後面２ｆにおける幅方向中央部にプレート４３をボルト４４で固定して取り付け、そのプレート４３に取付部材４（固定筒体４ａ）を固定して取り付けるようにしても良い。
このように、ベッド２ｂの架台２ｄに支持部材３を取り付けるようにした場合には、そのベッド２ｂは手摺りを有しないものとすることができる。
【００５４】
前述の各実施の形態では上掛け保持部材５を、１つの主杆部１０と複数の補助杆２０で構成したが、複数の主杆部１０と、各主杆部１０にそれぞれ設けた複数の補助杆２０で構成しても良い。
このようにすれば、幅広い寝具１、例えば、２人用寝具などに対応できる。
この場合には、支持部材３の幅が広くなると共に、取付部材４を主杆部１０の数だけ取り付けることになる。
【００５５】
前述した各実施の形態において、上掛け保持部材５の本体５ａに防虫網を取り付け、寝具１に寝ている人の全体を防虫網で覆うようにしたり、寝具１の上掛け１ｂで覆われていない首よりも上の部分を防虫網で覆うようにしたりできる。
例えば、図９、図１０に示すように、上掛け保持部材５の本体部５ａの長手方向他端部寄り部分（手掛け部５ｃ側寄り部分）に枠体５０を、横向き姿勢と縦向き姿勢とに亘って上下回動自在に取り付け、その枠体５０に防虫網５１を吊り具５２で吊り下げて取り付ける。
そして、図９に実線で示すように枠体５０を横向き姿勢とすることで、防虫網５１が寝具１に寝ている人の頭部（首から上の部分）を覆うようにしてあると共に、枠体５０を図９に仮想線で示すように縦向き姿勢とすることで、防虫網５１が寝具１に寝ている人の頭部から離れる。
【００５６】
このようであるから、寝ている人を蚊などから保護することができると共に、寝ている人が起きる際に防虫網５１が邪魔にならない。
【００５７】
前記枠体５０は枠部５０ａと取付部５０ｂを備え、その取付部５０ｂが第４主杆１４の他側寄り部分１４ｂに、上下回動自在で、かつ着脱自在に取り付けてある。
前記枠部５０ａは矩形状で、その下面に沿って吊り具５２を間隔を置いて複数設けてある。
前記取付部５０ｂは下向きコ字状の取付片５３を有し、その取付片５３が第４主杆１４の他側寄り部分の１４ｂに嵌まり合い、その取付片５３と第４主杆１４の他側寄り部分１４ｂに亘ってボルト５４を貫通し、そのボルト５４にナット５５を螺合することで、取付片５３が上下回動自在に取り付けられる。
このようであるから、枠体５０をボルト５４を中心として上下に回動できると共に、ナット５５を弛めてボルト５４を抜き出すことで枠体５０を取り外しできる。
【００５８】
前記吊り具５２は、枠体５０の枠部５０ａに取り付けたフック形状の上取付具５６と、防虫網５１に取り付けたリング形状の下取付具５７と、この下取付具５７に連結され、前記上取付具５６にワンタッチで係脱自在な連結具５８を有した索条５９を備え、その索条５９を上取付具５６に片手で連結、離脱して防虫網５１を枠体５０の枠部５０ａに片手で簡単に取り付け、取り外しできるようにしてある。
【００５９】
図９、図１０に示す本体５ａの上掛け吊り具５ｂは前述の吊り具５２と同一で、本体５ａに上掛け１ｂを片手で簡単に取り付け、取り外しできるようにしてある。
また、第４主杆１４と補助杆２０を連結するブラケット２８は、上下一対のＴ字状のプレートを有し、その一対のプレートを第４主杆１４、補助杆２０（固定杆２１）の上面と下面に接し、ボルト２９で連結したものとしてある。
また、突出長さを調整するためのロックピンをボルト・ナット６０としてある。
【符号の説明】
【００６０】
１…寝具、１ａ…敷設体、１ｂ…上掛け、２…寝具敷設用物、２ａ…畳、２ｂ…ベッド、２ｃ…手摺り、２ｄ…側面、３…支持部材、４…取付部材、５…上掛け保持部材、５ａ…本体、５ｂ…上掛け吊り具、５ｃ…手掛け部、１０…主杆部、１１…第１主杆、１２…第２主杆、１３…第３主杆、１４…第４主杆、２０…補助杆、２１…固定杆、２２…可動杆、３０…索条、３１…上取付具、３２…下取付具。
【図１】
2011087797.tif 000003
【図２】
2011087797.tif 000004
【図３】
2011087797.tif 000005
【図４】
2011087797.tif 000006
【図５】
2011087797.tif 000007
【図６】
2011087797.tif 000008
【図７】
2011087797.tif 000009
【図８】
2011087797.tif 000010
【図９】
2011087797.tif 000011
【図１０】
2011087797.tif 000012